(57)【要約】【課題】容器内の被加熱物の量や水量を様々な角度から確認することが容易になり、使用者の利便性を高めること。【解決手段】被加熱物３や水を収容し、内側面に被加熱物３や水の容量（体積）を視覚的に計量するための目盛り８を有する容器４であって、目盛り８が、容器４の内側面から浮いたように見える加工を施すことにより、容器４の壁面に形成された目盛り８を様々な角度から確認することが容易にできるので、容器４内の被加熱物３の量や水量を様々な角度から確認することが容易になり、使用者の利便性を高めることができる。【選択図】図３
2011245088.tif 000002
【特許請求の範囲】
【請求項１】
被加熱物や水を収容し、内側面に前記被加熱物や前記水の容量（体積）を視覚的に計量するための目盛りを有する容器であって、前記目盛りが、前記容器の前記内側面から浮いたように見える加工を施されたことを特徴とする容器。
【請求項２】
前記容器は、前記目盛りの形成後、前記目盛りの上に微小のレンズが一面に並べられたように構成された層を配設したことを特徴とする請求項１に記載の容器。
【請求項３】
前記容器は、前記容器の内側面に薄膜状の保護層を設けることを特徴とする請求項１または２に記載の容器。
【請求項４】
前記薄膜状の保護層は、透明な材質とすることを特徴とする請求項３に記載の容器。
【請求項５】
前記目盛りは、前記容器の内側面の一箇所以上に連続または不連続に設けられたことを特徴とする請求項１〜４のいずれか１項に記載の容器。
【請求項６】
前記目盛りは、前記容器の内側面の全周に連続または不連続に設けられたことを特徴とする請求項１〜４のいずれか１項に記載の容器。
【請求項７】
請求項１〜６のいずれか１項に記載の前記容器を用いた加熱機器であって、外郭を構成する外枠と、前記外枠の上面開口部を開閉自在に覆う蓋を有し、前記外枠には前記容器と、前記容器を加熱する加熱手段と、前記容器の温度を測定する温度検知手段とを備えた加熱機器。
【発明の詳細な説明】
【技術分野】
【０００１】
本発明は、被加熱物や水の量を示す目盛りが浮いたように見える加工を容器の内側面に施すことで、使用者の利便性を高めた容器およびその容器を用いた加熱機器に関するものである。
【背景技術】
【０００２】
従来、この種の容器は、鍋（容器）の内面に凹凸上の刻印からなる水位表示手段と、鍋主体の内面色と異なる色調の水位表示部を併用した水位表示目盛部を構成することで、水位表示手段の配設位置や輪郭を明確に識別できる炊飯器などがある（例えば、特許文献１参照）。
【先行技術文献】
【特許文献】
【０００３】
【特許文献１】特開平４−１７４６１４号公報
【発明の概要】
【発明が解決しようとする課題】
【０００４】
しかしながら、前記従来の構成では、水位表示手段の配設位置や輪郭を明確に識別できるものの、鍋（容器）に投入された被加熱物や水量を計量する際には、鍋（容器）の水位表示手段が被加熱物や水で覆われて見えなくなった位置（線）を使用者が目視で確認しなくてはならず、特に水位表示手段の目盛りの太さや幅が短い場合には確認することが難しく、鍋壁面に形成された水位表示手段と対面する位置からでなければ正確に水位が確認できないという課題を有していた。
【０００５】
本発明は、前記従来の課題を解決するもので、鍋壁面に形成された水位表示手段の目盛りを様々な角度から確認することが容易にでき、使用者の利便性を高めた容器およびその容器を用いた加熱機器を提供することを目的とする。
【課題を解決するための手段】
【０００６】
前記従来の課題を解決するために、本発明の容器およびその容器を用いた加熱機器は、被加熱物や水を収容し、内側面に前記被加熱物や前記水の容量（体積）を視覚的に計量するための目盛りを有する容器であって、前記目盛りが、前記容器の前記内側面から浮いたように見える加工を施されたものである。
【０００７】
これによって、容器内の被加熱物の量や水量を様々な角度から確認することが容易になり、使用者の利便性を高めることができる。
【発明の効果】
【０００８】
本発明の容器およびその容器を用いた加熱機器は、鍋壁面に形成された水位表示手段の目盛りを様々な角度から確認することが容易にでき、使用者の利便性を高め、所望の量を簡易に計量できることで、バラつきのない食味の被調理物を得ることができる。
【図面の簡単な説明】
【０００９】
【図１】本発明の実施の形態１における加熱機器の概略横断面図
【図２】本発明の実施の形態１における容器の主要構成要素の部分拡大断面図
【図３】本発明の実施の形態１における容器に被加熱物や水が収容されていない場合の容器の目盛りの状態を表す斜視図
【図４】本発明の実施の形態１における容器に水を収容した場合の容器の目盛りの状態を表す斜視図
【図５】本発明の実施の形態１における容器に被加熱物として米を収容した場合の容器の目盛りの状態を表す斜視図
【発明を実施するための形態】
【００１０】
第１の発明は、被加熱物や水を収容し、内側面に前記被加熱物や前記水の容量（体積）を視覚的に計量するための目盛りを有する容器であって、前記目盛りが、前記容器の前記内側面から浮いたように見える加工を施されたことにより、鍋壁面に形成された水位表示手段の目盛りを様々な角度から確認することが容易にできるので、容器内の被加熱物の量や水量を様々な角度から確認することが容易になり、使用者の利便性を高めることができる。
【００１１】
第２の発明は、特に、第１の発明の前記容器は、前記目盛りの形成後、前記目盛りの上に微小のレンズが一面に並べられたように構成された層を配設したことにより、前記目盛りが、前記容器の前記内側面から浮いたように見えて、鍋壁面に形成された水位表示手段の目盛りを様々な角度から確認することが容易にできるので、容器内の被加熱物の量や水量を様々な角度から確認することが容易になり、使用者の利便性を高めることができる。
【００１２】
第３の発明は、特に、第１または第２の発明の前記容器は、前記容器の内側面に薄膜状の保護層を設けることにより、内側面の目盛りが磨耗や剥離などにより消去することを防ぐことができるので、長期間において視認性を保つことができる。
【００１３】
第４の発明は、特に、第３の発明の前記薄膜状の保護層は、透明な材質とすることにより、容器の内側面の目盛りが見えにくくなることを防ぎ視認性を確保することができるので、使用者の利便性を高めることができる。
【００１４】
第５の発明は、特に、第１〜４のいずれか１つの発明の前記目盛りは、前記容器の内側面の一箇所以上に連続または不連続に設けられたことにより、容器の設置位置に関わらず、容器内の被加熱物の量や水量の確認が容易になり、使用者の利便性を高めることができる。
【００１５】
第６の発明は、特に、第１〜４のいずれか１つの発明の前記目盛りは、前記容器の内側面の全周に連続または不連続に設けられたことにより、容器の設置位置に関わらず、容器内の被加熱物の量や水量の確認が容易になり、使用者の利便性を高めることができる。
【００１６】
第７の発明は、特に、第１〜６のいずれか１つの前記容器を用いた加熱機器であって、外郭を構成する外枠と、前記外枠の上面開口部を開閉自在に覆う蓋を有し、前記外枠には前記容器と、前記容器を加熱する加熱手段と、前記容器の温度を測定する温度検知手段とを備えた加熱機器とすることにより、鍋壁面に形成された水位表示手段の目盛りを様々な角度から確認することが容易にできるので、容器内の被加熱物の量や水量を様々な角度から確認することが容易になり、使用者の利便性を高めることができる。
【００１７】
以下、本発明の実施の形態について、図面を参照しながら説明する。なお、この実施の形態によって本発明が限定されるものではない。
【００１８】
（実施の形態１）
図１は、本発明の第１の実施の形態における加熱機器の概略横断面図を示すものである。
【００１９】
図１において、加熱機器は、外郭を構成する外枠１と、外枠１の上面開口部を開閉自在に覆う蓋２とで構成されている。
【００２０】
外枠１には米である被加熱物３を収容する容器４と、容器４を加熱する加熱手段５と、容器４の底面温度を測定する温度検知手段６とを備えている。
【００２１】
加熱手段５は、誘導加熱コイルやシーズヒータなどから構成される。温度検知手段６は、サーミスタや各種金属抵抗体、熱電対あるいは赤外線センサや光センサなどから構成され、容器４の底面と対向配設されている。
【００２２】
図２は、本発明の第１の実施の形態における容器の主要構成要素の部分拡大断面図を、図３〜５は、それぞれ、本発明の第１の実施の形態における容器の目盛りの状態を表す斜視図であって、図３は、容器４に被加熱物３や水が収容されていない場合、図４は、容器４に水を収容した場合、図５は、容器４に被加熱物３として米を収容した場合を示すものである。
【００２３】
図１〜図５において、容器４の主な構成要素である素材７は、金属やセラミックを成形したものであり、内側面には線状の目盛り８が形成されている。なお、素材７の成形は、特に方法を限定しないものとする。
【００２４】
目盛り８は、刻印、印刷などの方法により容器４の内側面に一箇所以上あるいは全周に、連続または不連続に加工される。加工部分は内側面の未加工部分に対して凹凸の差が生じないように、内側面全周の表面を滑らかに整えておくことが望ましい。目盛り８の色調は、容器４の内側面と同じ色調でも、異なる色調でもかまわないものとする。
【００２５】
目盛り８を容器４の内側面に一箇所以上あるいは全周に連続または不連続に形成することで、容器４内の被加熱物の量や水量の確認が容易になり、使用者の利便性を高めることができる。
【００２６】
本実施の形態では、目盛り８は容器４内部において互いに対向するように不連続に２箇所に形成した。本実施の形態では、目盛り８は線状としたが、線以外の表示方法を用いてもかまわない。また、目盛り８の計量用の数字表記は、それぞれ形成する数や表示方法を限定するものではない。
【００２７】
目盛り８の形成後、目盛り８の上には微小のレンズが一面に並べられたように構成された層９が配設される。層９の主要構造がレンズ状の形状を有することにより、目盛り８に照射された光が層９のレンズで反射される際に「視差」が生じ、層９と素材７の間に形成された目盛り８が容器４の内側面から離れ、容器４の空間部分に目盛り８が浮き上がったように見える効果を得ることができる。このことにより、使用者は様々な角度から目盛り８を確認することができるようになり、使用者の利便性を高めることができる。
【００２８】
層９の上層には、目盛り８や層９の剥離、磨耗、汚れの付着を防止するために、透明な材質（例えば、フッ素樹脂など）からなる薄膜状の保護層１０が配設される。保護層１０は、透明な薄膜より構成されているため、目盛り８の浮き上がったように見える効果は維持できるものである。なお、層９、保護層１０の接合は、特に方法を限定しないものとする。
【００２９】
次に、容器４に被加熱物３や水を収容する場合の目盛り８の状態について例を用いて説明する。
【００３０】
図３は、容器４に被加熱物３や水が収容されていない場合の目盛り８を示している。目盛り８は容器４の内側面から浮いたように見える状態を示している。一方、図４は容器４に水を収容した場合、図５は容器４に被加熱物３として米を収容した場合の目盛り８を示している。薄い実線は容器４の内壁面に形成された目盛り８を示し、濃い実線は容器４の空間部分に浮いた状態の目盛り８を示している。
【００３１】
図４に示したように、容器４に水を収容した場合、水は空気と屈折率が異なるため、層９に照射された光の反射角度が変化し、目盛り８のうち浸漬している部分は浮き上がる効果が消滅し、浸漬していない部分のみが浮き上がって見える。本実施の形態では、「３」の位置まで水が収容されていることを示している。
【００３２】
一方、図５に示したように、容器４に被加熱物３を収容した場合、目盛り８は被加熱物３に覆われた部分は浮き上がる効果が消滅し、被加熱物３に覆われていない表示部分のみが浮き上がって見える。本実施の形態では、「２．５」の位置まで被加熱物３が収容されていることを示している。
【００３３】
このように、容器４の内側面だけでなく、容器４の空間部分にも目盛り８が浮き上がって見える効果を利用したり、被加熱物３や水の収容によって浮き上がって見える効果が消滅することを利用することで、使用者は様々な角度から被加熱物３や水の量を容易に計量でき、また確認時の精度を向上できるため、利便性を高めることができるものである。
【００３４】
本実施の形態では水と米を被加熱物の例として用いたが、被加熱物は米に限るものではない。また、目盛り８は容器４に収容される被加熱物の量や水量、あるいは炊飯器など調理器の場合は、被加熱物に対する最適水量を目盛りにするなど、目盛り８の表示対象は特に限定しないものとする。
【産業上の利用可能性】
【００３５】
以上のように、本発明にかかる容器およびその容器を用いた加熱機器は、被加熱物や水の量を示す目盛りが容器の内側面から浮いたように見える加工を施すことにより、使用者の利便性を高めることができるので、計量容器、炊飯器、湯沸しポット、鍋や鍋と一体化した加熱調理器等の用途にも適用できる。
【符号の説明】
【００３６】
１  外枠
２  蓋
３  被加熱物
４  容器
５  加熱手段
６  温度検知手段
７  素材
８  目盛り
９  層
１０  保護層
【図１】
2011245088.tif 000003
【図２】
2011245088.tif 000004
【図３】
2011245088.tif 000005
【図４】
2011245088.tif 000006
【図５】
2011245088.tif 000007